(57)【要約】【課題】使用者の装着部位に応じた適切な装着部位への装着状態が得やすく、一旦適切な状態で装着したサポーターを装着部位から取り外した後も、簡単な再装着操作をするだけで適切な装着状態を再現することが可能なサポーターを提供すること。【解決手段】装着部位への巻回長さに合わせて、裁断により長さ調整が可能な少なくとも１枚の帯状体片２０を含む複数の帯状体片２０，３０が、長さ調整が可能な帯状体片２０の裁断後、連結手段であるオープンファスナー５０により他の帯状体片３０に連結されて帯状体に４０形成され、帯状体４０の両端部に係止手段である面ファスナー６０が取り付けられていることを特徴とするサポーター１０である。【選択図】図１
2015151653.tif 000002
【特許請求の範囲】
【請求項１】
装着部位への巻回長さに合わせて、裁断により長さ調整が可能な少なくとも１枚の帯状体片を含む複数の帯状体片が、前記長さ調整が可能な帯状体片の裁断後、連結手段により前記他の帯状体片に連結されて帯状体に形成され、
該帯状体の両端部に係止手段が取り付けられていることを特徴とするサポーター。
【請求項２】
前記連結手段がオープンファスナーであることを特徴とする請求項１記載のサポーター。
【請求項３】
前記係止手段は、面ファスナーであることを特徴とする請求項１または２記載のサポーター。
【請求項４】
前記帯状体の両端部には、薄肉シート材を該薄肉シート材の一部が前記帯状体のそれぞれにおける端部からはみ出した状態で取り付けられていて、
該薄肉シートのはみ出し部分に前記面ファスナーが取り付けられていることを特徴とする請求項３記載のサポーター。
【請求項５】
前記面ファスナーの係止部分における前記薄肉シート材および前記面ファスナーの合計厚さ寸法が、前記帯状体と前記薄肉シート材との合計厚さ寸法以下であることを特徴とする請求項４記載のサポーター。
【請求項６】
複数枚の帯状体片を連結手段により連結してなる帯状体を身体の装着部位に巻回し、前記帯状体の巻回方向における両端部どうしを係止手段により係止することにより装着するサポーターの製造方法であって、
前記複数枚の帯状体片のうち少なくとも１枚の帯状体片の長さ寸法を、装着部位への巻回長さに合わせて裁断して調整する工程と、
前記裁断により長さ調整された帯状体片と他の帯状体片の少なくとも２枚の帯状体片において、装着部位への巻回方向における端部のうち互いに隣接する端部に連結手段を対にして取り付けする工程と、
前記連結手段を取り付けた前記帯状体片の装着部位への巻回方向における端部のうち他方の端部に、任意の位置において係止可能な係止手段を対にして取り付けする工程と、
を有していることを特徴とするサポーターの製造方法。
【請求項７】
前記帯状体片に前記係止手段を取り付けする工程は、
前記裁断により長さ調整された帯状体片と他の帯状体片の少なくとも２枚の帯状体片において、装着部位への巻回方向における端部のうち他方の端部に薄肉シート材の一部を重複させると共に、前記帯状体片の前記装着部位への巻回方向における端部のうち他方の端部から前記装着部位への巻回方向に前記薄肉シート材をはみ出させた状態で取り付けした後、
前記帯状体片の他方の端部からの前記薄肉シート材のはみ出し部分に、前記帯状体片の他方の端部から離反させた状態で面ファスナーを取り付けする工程であることを特徴とする請求項６記載のサポーターの製造方法。
【発明の詳細な説明】
【技術分野】
【０００１】
本発明はサポーターとサポーターの製造方法に関し、より詳細には、帯状体を装着部位に巻回させた後に帯状体の両端縁を係止することによって身体に装着するサポーターとサポーターの製造方法に関する。
【背景技術】
【０００２】
身体の関節部分等に装着して用いるサポーターのうち、装着部位をホールド（固定）させることを主目的とするサポーターとしては、帯状体を装着部位に巻回させ、帯状体の端縁どうしを面ファスナー等の係止手段により係止することによって身体に装着する構成が知られている。このようなサポーターの構成例としては、特許文献１および特許文献２に開示されているようなものがある。
【先行技術文献】
【特許文献】
【０００３】
【特許文献１】特開２０１０−１５８３１９号公報
【特許文献２】特開２０１２−２１７６９９号公報
【発明の概要】
【発明が解決しようとする課題】
【０００４】
特許文献１および特許文献２において開示されているサポーターは、帯状体の両端縁に面ファスナーがそれぞれ対となるように取り付けられていて、帯状体を装着部位に巻回させた後に、装着部位に応じた締め付け具合で装着することが可能である。
反面、同一の使用者が同一部位にサポーターを装着する際には、心地良い装着状態（または適切な装着状態）で装着したサポーターを取り外してしまうと、心地良い装着状態（または適切な装着状態）が解除されてしまい、再度装着した場合には、心地良い装着状態（または適切な装着状態）になるまで面ファスナーの係止位置の微調整をしなければならず煩雑であるといった課題がある。
【０００５】
そこで本発明は上記課題を解決すべくなされ、その目的とするところは、使用者の装着部位に応じた使用者に心地良い装着状態（または適切な装着状態）を設定することができ、一旦装着したサポーターを取り外した後も、簡単な再装着操作をするだけで使用者に心地良い装着状態（または適切な装着状態）を再現することが可能なサポーターとサポーターの製造方法を提供することにある。
【課題を解決するための手段】
【０００６】
上記課題を解決するために本願発明者が鋭意研究した結果、以下の構成に想到した。
すなわち本発明は、装着部位への巻回長さに合わせて、裁断により長さ調整が可能な少なくとも１枚の帯状体片を含む複数の帯状体片が、前記長さ調整が可能な帯状体片の裁断後、連結手段により前記他の帯状体片に連結されて帯状体に形成され、該帯状体の両端部に係止手段が取り付けられていることを特徴とするサポーターである。
【０００７】
これにより、最初の装着時には従来のサポーターと同様の装着方法で身体に装着することができるが、予め使用者の装着部位に合わせて長さ調整がなされているから、微調整がなされた状態で装着されているサポーターを装着部位から取り外す際に、連結手段を用いて取り外しをおこなえば、微調整をした状態を維持させることができる。すなわち、サポーターを同じ装着部位に再装着する際には、連結手段を連結するだけで即座に微調整をした状態でのサポーターの装着状態を得ることができる。
【０００８】
また、前記連結手段がオープンファスナーであることが好ましい。
【０００９】
これにより、単純にオープンファスナーの開閉操作を行うだけで、サポーターを装着部位に適切に調整された状態で装着することができる。
【００１０】
また、前記係止手段は、面ファスナーであることが好ましい。
【００１１】
これにより、使用者の装着部位に巻回させた帯状体を係止する位置の微調整をきわめて簡単に行うことができる。
【００１２】
また、前記帯状体の両端部には、薄肉シート材を該薄肉シート材の一部が前記帯状体のそれぞれにおける端部からはみ出した状態で取り付けられていて、該薄肉シートのはみ出し部分に前記面ファスナーが取り付けられていることが好ましい。
【００１３】
これにより、帯状体の両端部への面ファスナーの取り付け作業を容易に行うことができる。
【００１４】
また、前記面ファスナーの係止部分における前記薄肉シート材および前記面ファスナーの合計厚さ寸法が、前記帯状体と前記薄肉シート材との合計厚さ寸法以下であることが好ましい。
【００１５】
これにより、装着部位に装着したサポーターの係止位置における厚さ寸法を少なくすることができるため、サポーターの装着後における外観状態を向上させることができることに加え、サポーターの装着によって使用者の運動性の低下を最小限に抑えることができる。
【００１６】
また、複数枚の帯状体片を連結手段により連結してなる帯状体を身体の装着部位に巻回し、前記帯状体の巻回方向における両端部どうしを係止手段により係止することにより装着するサポーターの製造方法であって、前記複数枚の帯状体片のうち少なくとも１枚の帯状体片の長さ寸法を、装着部位への巻回長さに合わせて裁断して調整する工程と、前記裁断により長さ調整された帯状体片と他の帯状体片の少なくとも２枚の帯状体片において、装着部位への巻回方向における端部のうち互いに隣接する端部に連結手段を対にして取り付けする工程と、前記連結手段を取り付けた前記帯状体片の装着部位への巻回方向における端部のうち他方の端部に、任意の位置において係止可能な係止手段を対にして取り付けする工程と、を有していることを特徴とする。
【００１７】
これにより、最初の装着時には従来のサポーターと同様の装着方法で身体に装着することができる。装着部位に長さ調整された状態で装着されたサポーターを取り外す際に、連結手段を用いて取り外しをおこなえば、装着部位への巻回長さが調整された状態を維持することができるため、サポーターを同一装着部位に再装着する際には連結手段を連結するだけで即座に微調整をした状態でのサポーターの装着状態を得ることができる。
【００１８】
また、前記帯状体片に前記係止手段を取り付けする工程は、前記裁断により長さ調整された帯状体片と他の帯状体片の少なくとも２枚の帯状体片において、装着部位への巻回方向における端部のうち他方の端部に薄肉シート材の一部を重複させると共に、前記帯状体片の前記装着部位への巻回方向における端部のうち他方の端部から前記装着部位への巻回方向に前記薄肉シート材をはみ出させた状態で取り付けした後、前記帯状体片の他方の端部からの前記薄肉シート材のはみ出し部分に、前記帯状体片の他方の端部から離反させた状態で面ファスナーを取り付けする工程であることが好ましい。
【００１９】
これにより、面ファスナーが重なることによる係止部分の厚さ寸法の増加を最小限に抑えることができるため、装着時において外観状態が良好で、使用者の運動性の低下を最小限に抑えたサポーターを提供することができる。
【発明の効果】
【００２０】
本発明にかかるサポーターとサポーターの製造方法を採用することにより、最初の装着時には従来のサポーターと同様の装着方法で身体に装着することができる。このとき係止手段を用いることにより係止位置の微調整が可能になり、使用者の装着部位に応じた適切な装着状態を得ることができる。このように装着部位への巻回長さが微調整された状態のサポーターを装着部位から取り外す際に、連結手段を用いて取り外しをおこなえば、微調整された状態が維持されるため、サポーターを同一装着部位に再装着する際には連結手段を連結するだけで即座に適切な状態でサポーターを装着することができる。
【図面の簡単な説明】
【００２１】
【図１】第１実施形態にかかるサポーターの正面図である。
【図２】第２実施形態にかかるサポーターの正面図である。
【図３】図２内のＡ部分とＢ部分における拡大底面図である。
【図４】図２に示すサポーターの両端部位に取り付けた面ファスナーどうしを係止した状態を示す説明図である。
【図５】本願発明にかかるサポーターの変形例を示す正面図である。
【発明を実施するための形態】
【００２２】
以下、本発明にかかるサポーターの実施形態について、図面に基づいて具体的に説明する。
【００２３】
（第１実施形態）
図１は、第１実施形態にかかるサポーターを示す正面図である。本実施形態にかかるサポーター１０は、２枚の帯状体片２０，３０を後述する連結手段により連結した帯状体４０に形成されている。
【００２４】
２枚の帯状体片２０，３０は、少なくとも一方について、使用者の装着部位における巻回長さに合わせるよう裁断により長さ寸法が予め調整されている。ここでは帯状体片２０を裁断により長さ調整を行った。このようにして裁断により長さ調整された帯状体片２０と、他の帯状体片３０を装着部位への巻回方向に並べた状態において互いに隣接する端部に、連結手段としてのオープンファスナー５０が縫製等の公知の方法により取り付けられている。オープンファスナー５０は、それぞれの帯状体片２０，３０において一対となるように取り付けられている。
【００２５】
また、２枚の帯状体片２０，３０の他方の端部には係止手段としての面ファスナー６０が縫製等の公知の方法により取り付けられている。面ファスナー６０は、それぞれの帯状体片２０，３０において一対となるように取り付けられている。面ファスナー６０は、帯状体４０を使用者の身体（装着部位）へ巻回させた後に帯状体４０の両端部を任意の位置で係止するためのものであるから、長手方向(帯状体４０を装着部位に巻回させる方向)に沿って所要範囲にわたって取り付けられている。
【００２６】
このように、一方の端部にオープンファスナー５０が取り付けられ、他方の端部に面ファスナー６０が取り付けられた２枚の帯状体２０，３０を、オープンファスナー５０によって連結することで両端部に一対の面ファスナー６０が取り付けられた図１に示すような帯状体４０（サポーター１０）を得ることができる。
【００２７】
使用者はこの帯状体４０（サポーター１０）を装着部位に巻回させた後、巻回部分における帯状体４０（サポーター１０）による締め付け具合を微調整して面ファスナー６０により帯状体４０（サポーター１０）の両端部位を位置決めして係止して、帯状体４０（サポーター１０）の装着を行うことができる。
【００２８】
このようにして使用者の装着部位にフィットさせた状態（適切な状態）で装着したサポーター１０を取り外しする際には、オープンファスナー５０を開いて帯状体４０に戻せばよい。装着部位への巻回方向の両端部にオープンファスナー５０が位置している状態の帯状体４０については特に図示しないが、２枚の帯状体片２０，３０は隣接端部において係止手段である面ファスナー６０によって係止された（つながれた）状態になっている。このような状態における帯状体４０を再度同一使用者の同一装着部位に巻回させた後、帯状体４０の両端部であるオープンファスナー５０を締めることにより、使用者の装着部位にサポーター１０をフィットさせた状態で再装着することができる。
【００２９】
（第２実施形態）
図２は第２実施形態にかかるサポーターを示す正面図である。図３は、図２内のＡ部分とＢ部分における拡大底面図である。図４は、図２に示すサポーターの両端部に取り付けた面ファスナーどうしを係止した状態を示す説明図である。
【００３０】
本実施形態においては、第１実施形態と同様の構成については第１実施形態で用いた符号を付すことによりここでの詳細な説明を省略している。
図２に示すように、本実施形態にかかるサポーター１０は、２枚の帯状体片２０，３０への面ファスナー６０の取り付け構造が特徴的である。ここでは、少なくも一方が裁断によって長さ調整された帯状体片２０，３０における特定の端部に面ファスナー６０を取り付けする際に、それぞれの帯状体片２０，３０に面ファスナー６０の取り付け対象端部に薄肉のシート材７０を取り付けている。この薄肉シート材７０は、帯状体片２０，３０の面ファスナー６０の取り付け対象端部に一部を重複させた状態とし、帯状体片２０，３０の面ファスナー６０の取り付け対象端部から薄肉シート材７０がはみ出した状態で取り付けられている。
【００３１】
この薄肉シート材７０は、図３に示すように、帯状体片２０に対してはサポーター１０の装着部位への装着面側（図３内における帯状体片２０の上面側）に取り付けられていて、帯状体片３０に対してはサポーター１０の外表面側（図３内における帯状体片３０の下面側）に取り付けられていることが好ましい。また、薄肉シート材７０は特に限定されるものではないが、薄肉シート材７０の厚さ寸法ｔ１は、帯状体片２０，３０の厚さ寸法に対して十分に薄いものであることが好ましい。
【００３２】
本実施形態においては、薄肉シート材７０の厚さ寸法ｔ３と一方の面ファスナー６０Ａの厚さ寸法ｔ２の和が、帯状体片２０の厚さ寸法と薄肉シート材７０の厚さ寸法との和Ｔの半分以下となるようにした。また、薄肉シート材７０の厚さ寸法ｔ３と他方の面ファスナー６０Ｂの厚さ寸法ｔ３の和が、帯状体片３０の厚さ寸法と薄肉シート材７０の厚さ寸法との和Ｔの半分以下となるようにした。なお、本実施形態における帯状体片２０，３０の厚さ寸法は、それぞれ等しい厚さ寸法である。
【００３３】
このようにして帯状体片２０，３０に取り付けた薄肉シート材７０の端縁に一対の面ファスナー６０Ａ，６０Ｂが取り付けられている。一対の面ファスナー６０Ａ，６０Ｂは、帯状体片２０，３０と重複しないように、帯状体片２０，３０の端部位置から離反させた位置で薄肉シート材７０に取り付けしている。このようにして薄肉シート材７０を介して取り付けられた一対の面ファスナー６０Ａ，６０Ｂは、互いの係止面を係止させた状態における係止部分の厚さ寸法を第１実施形態に比較して大幅に薄くすることができる。
【００３４】
本実施形態においては一対の面ファスナー６０Ａ，６０Ｂを係止させた状態における面ファスナー６０の係止部分における厚さ寸法（すなわち、一対の面ファスナー６０Ａ、６０Ｂ（ｔ２+ｔ３）と２枚の薄肉シート材７０（ｔ１×２）との合計厚さ寸法）を、帯状体片２０と薄肉シート７０の厚さ寸法以下であることが特に好ましい。このような構成を採用することにより、サポーター１０の装着時における一対の面ファスナー６０Ａ，６０Ｂの係止部分をスマートな外観状態にすることができ、一対の面ファスナー６０Ａ，６０Ｂの係止部分が厚くなることによる使用者の運動性の低下を最小限に抑えることができる点において好都合である。
【００３５】
本実施形態におけるサポーター１０も使用者の装着部位への最初の装着方法や、装着状態からのサポーター１０の取り外し方法および２回目以降のサポーター１０の装着方法および取り外し方法については、第１実施形態と同様にして行うことができる。
【００３６】
（サポーターの製造方法）
次に、本実施形態におけるサポーターの製造方法について説明する。
まず、２枚の帯状体片２０，３０のうち少なくとも１枚の帯状体片（ここでは帯状体片２０とした）の長さ寸法を、装着部位への巻回長さに合わせて裁断して長さ調整をする。次に、帯状体片３０および裁断により長さ調整された帯状体片２０の装着部位への巻回方向における端部のうち一方の端部（帯状体片２０と帯状体片３０との離接端部）に、連結手段であるオープンファスナー５０を対にして縫製等の公知の方法によって取り付けする。
【００３７】
続いて、オープンファスナー５０を取り付けた２枚の帯状体片２０，３０の装着部位への巻回方向における端部のうち他方の端部（オープンファスナー５０の装着端部と対向する位置の端部）に、任意の位置において係止可能な係止手段として面ファスナー６０Ａ，６０Ｂを対にして取り付けすれば、図１に示すような帯状体４０（サポーター１０）を得ることができる。
【００３８】
また、帯状体片２０，３０に一対の面ファスナー６０Ａ，６０Ｂを取り付けする際は、帯状体４０の装着部位への巻回方向における両端部に相当する端部に、薄肉シート材７０の一部をそれぞれの帯状体片２０，３０の端部に重複させるようにして縫製等の公知の方法によって取り付けを行う。このとき、薄肉シート材７０は帯状体４０の装着部位への巻回方向における両端部に相当する端部から薄肉シート材７０をはみ出させた状態で取り付ける。次に、帯状体片２０，３０の端部からの薄肉シート材７０のはみ出し部分に、帯状体片２０，３０の端部から離反させた状態で一対の面ファスナー６０Ａ，６０Ｂをそれぞれ取り付けすれば、図２に示すような帯状体４（サポーター１０）を得ることができる。
【００３９】
以上に実施形態に基づいて本願発明にかかるサポーター１０について具体的に説明をしたが、本願発明にかかるサポーター１０は以上の実施形態に限定されるものではなく、発明の要旨を変更しない範囲で各構成を適宜変更した実施形態を採用することも可能である。たとえば、以上の実施形態においては、少なくとも一枚が裁断により長さ寸法が調整された帯状体片２０，３０を連結手段で連結することにより帯状体４０を形成する実施形態について説明しているが、少なくとも一枚が裁断により長さ寸法が調整された３枚以上の帯状体片を連結することによって帯状体４０を形成する実施形態を採用することもできる。
【００４０】
また、以上の実施形態においては係止手段として面ファスナー６０を採用した実施形態について説明しているが、図５に示すようなベルト８０とバックル８２の構造に代表される他の公知の係止手段を面ファスナー６０の代わりに採用することもできる。要は、帯状体４０（サポーター１０）の巻回方向における両端縁を任意の位置で係止することができる係止手段であればよいのである。
【００４１】
また、以上の実施形態においては、連結手段としてオープンファスナー５０を例示しているが、オープンファスナー５０の代わりにボタン等を連結手段として採用することも可能である。
その他、上記に説明した各実施形態および変形例どうしを適宜組み合わせた構成を採用することも可能である。
【符号の説明】
【００４２】
１０  サポーター
２０，３０  帯状体片
４０  帯状体
５０  オープンファスナー（連結手段）
６０（６０Ａ，６０Ｂ）  面ファスナー（係止手段）
７０  薄肉シート材
８０  ベルト
８２  バックル
【図１】
2015151653.tif 000003
【図２】
2015151653.tif 000004
【図３】
2015151653.tif 000005
【図４】
2015151653.tif 000006
【図５】
2015151653.tif 000007